(57)【要約】【課題】エレベータがどのような運転機能仕様に対応したものであるか、その運転機能仕様によってエレベータがどのような動作をするかを利用者に的確に認識させることができるエレベータの表示システムおよび仕様説明表示方法を提供する。【解決手段】実施形態のエレベータの表示システムは、エレベータが対応している運転機能仕様を説明する仕様説明情報を記憶する仕様説明情報記憶部２と、エレベータの所定の表示器５に、仕様説明情報記憶部２が記憶する仕様説明情報を運転機能仕様の重要度に応じて定められた時間間隔で繰り返し表示させる表示制御部４と、を備える。【選択図】図１
2017218263.tif 000002
【特許請求の範囲】
【請求項１】
エレベータが対応している運転機能仕様を説明する仕様説明情報を記憶する記憶部と、
前記エレベータの所定の表示器に、前記記憶部が記憶する前記仕様説明情報を前記運転機能仕様の重要度に応じて定められた時間間隔で繰り返し表示させる表示制御部と、を備えることを特徴とするエレベータの表示システム。
【請求項２】
前記表示制御部は、前記エレベータが前記運転機能仕様に基づく運転状態になると、前記時間間隔に関わらず、前記仕様説明情報を前記表示器に表示させることを特徴とする請求項１に記載のエレベータの表示システム。
【請求項３】
前記表示制御部は、前記記憶部が記憶する前記仕様説明情報と関連付けて前記運転機能仕様の重要度を格納する管理テーブルに基づいて、前記運転機能仕様の重要度が高いほど短くなる前記時間間隔を設定することを特徴とする請求項１または２に記載のエレベータの表示システム。
【請求項４】
前記管理テーブルが格納する前記運転機能仕様の重要度が、前記エレベータの外部からの操作に応じて変更可能であることを特徴とする請求項３に記載のエレベータの表示システム。
【請求項５】
前記表示器は、前記エレベータの乗場に設けられた乗場表示器を含むことを特徴とする請求項１乃至４のいずれか一項に記載のエレベータの表示システム。
【請求項６】
前記表示器は、前記エレベータのかご内に設けられた第１のかご内表示器と、前記エレベータのかご内の前記第１のかご内表示器とは異なる位置に設けられた第２のかご内表示器とを含み、
前記表示制御部は、前記記憶部が記憶する同一の前記仕様説明情報を前記第１のかご内表示器と前記第２のかご内表示器とにスクロール表示させる際に、前記第２のかご内表示器による表示開始を、前記第１のかご内表示器による表示開始から遅延させることを特徴とする請求項１乃至５のいずれか一項に記載のエレベータの表示システム。
【請求項７】
エレベータが対応している運転機能仕様を説明する仕様説明情報を記憶部に記憶し、
前記エレベータの所定の表示器に、前記記憶部が記憶する前記仕様説明情報を前記運転機能仕様の重要度に応じて定められた時間間隔で繰り返し表示させることを特徴とする仕様説明表示方法。
【発明の詳細な説明】
【技術分野】
【０００１】
本発明の実施形態は、エレベータの表示システムおよび仕様説明表示方法に関する。
【背景技術】
【０００２】
エレベータの運転機能には、基本的な機能のほかに、例えば、車椅子での利用を考慮した車椅子運転、地震、火災、停電時などの非常時の管制運転、利用者がいなくなったかごを所定階に移動して待機させるホームランディングなど、顧客のニーズや設置環境などに応じて付加される様々な機能がある。これらの運転機能の特有の動作や動作手順などは運転機能仕様として定められており、運転機能仕様に基づく制御プログラムを実行することにより、その運転機能が実現される。
【０００３】
エレベータは通常、不特定多数の利用者によって利用される。このため、エレベータの利用者は、そのエレベータがどのような運転機能仕様に対応したものであるか、その運転機能仕様によってエレベータがどのような動作をするかを認識していないことが多い。
【０００４】
車椅子運転仕様のエレベータでは、車椅子専用ボタンが操作されたときのエレベータの動作を一般の利用者にも容易に理解できるようにするために、車椅子専用ボタンが操作されたときに、車椅子運転によるエレベータの動作説明を専用案内表示灯に表示させる試みがある。しかしこの場合、車椅子専用ボタンが操作されてエレベータが車椅子運転に対応する運転状態にならないと、エレベータがどのような動作をするかを利用者は認識できない。また、エレベータが車椅子運転のほかにどのような運転機能仕様に対応しているかを利用者は認識できない。
【０００５】
このため、エレベータがどのような運転機能仕様に対応したものであるか、その運転機能仕様によってエレベータがどのような動作をするかを利用者に的確に認識させる仕組みが求められている。
【先行技術文献】
【特許文献】
【０００６】
【特許文献１】特開２００４−３１５１７４号公報
【発明の概要】
【発明が解決しようとする課題】
【０００７】
本発明が解決しようとする課題は、エレベータがどのような運転機能仕様に対応したものであるか、その運転機能仕様によってエレベータがどのような動作をするかを利用者に的確に認識させることができるエレベータの表示システムおよび仕様説明表示方法を提供することである。
【課題を解決するための手段】
【０００８】
実施形態のエレベータの表示システムは、記憶部と、表示制御部と、を備える。記憶部は、エレベータが対応している運転機能仕様を説明する仕様説明情報を記憶する。表示制御部は、前記エレベータの所定の表示器に、前記記憶部が記憶する前記仕様説明情報を前記運転機能仕様の重要度に応じて定められた時間間隔で繰り返し表示させる。
【図面の簡単な説明】
【０００９】
【図１】図１は、表示システムの機能的な構成例を示すブロック図である。
【図２】図２は、管理テーブルの一例を示す図である。
【図３】図３は、仕様説明情報の表示タイミングの一例を示すタイミングチャートである。
【図４】図４は、表示制御部による仕様説明情報の表示制御の概要を説明するフローチャートである。
【図５】図５は、エレベータのかご操作盤の一例を示す図である。
【図６】図６は、エレベータの乗場操作盤の一例を示す図である。
【図７】図７は、エレベータのかご内の様子を示す図である。
【図８】図８は、仕様説明情報の表示例を示す図である。
【図９】図９は、表示システムの機能的な構成例を示すブロック図である。
【発明を実施するための形態】
【００１０】
以下、実施形態のエレベータの表示システムおよび仕様説明表示方法について、図面を参照しながら詳細に説明する。本実施形態は、エレベータが対応している運転機能仕様を説明する仕様説明情報を記憶しておき、エレベータの所定の表示器にその仕様説明情報を所定の時間間隔で繰り返し表示させることで、エレベータがどのような運転機能仕様に対応したものであるか、その運転機能仕様によってエレベータがどのような動作をするかを利用者に認識させるようにしたものである。
【００１１】
運転機能仕様とは、上述したように、顧客のニーズや設置環境などに応じてエレベータに付加される運転機能の特有の動作や動作手順などを定めたものである。仕様説明情報は、運転機能仕様によって定められた特有の動作や動作手順などを、テキスト、静止画、動画のいずれかまたは組み合わせによって説明する情報である。例えば、車椅子運転に対応する仕様説明情報は、車椅子運転時には乗場およびかごのドアが通常運転時よりも長い時間開放されること、かごの着床時にかごの移動が完全に停止してからドアが開放されることなどを説明する。また、地震時管制運転に対応する仕様説明情報は、地震が検知されると移動中のかごが一旦停止した後、最寄階に移動してドアが開放されることなどを説明する。また、火災時管制運転に対応する仕様説明情報は、火災が検知されるとかごが避難階に移動してドアが開放されることなどを説明する。また、停電時管制運転に対応する仕様説明情報は、停電時には移動中のかごが一旦停止するが、その後、蓄電池からの給電により最寄階に移動してドアが開放されることなどを説明する。また、ホームランディングに対応する仕様説明情報は、利用者のいなくなったかごが建物のエントランス階に自動的に移動してエントランス階で待機することなどを説明する。
【００１２】
エレベータが対応する運転機能仕様は１つとは限らず、複数の運転機能仕様に対応していることが多い。そして、エレベータが対応している運転機能仕様は、その性質によって重要度が異なる。例えば、上述の地震時管制運転とホームランディングとを比較すると、地震時管制運転の方がホームランディングよりも重要度が高い。重要度が高い運転機能仕様ほど、エレベータがその運転機能仕様に対応していることを利用者に認識させる必要性が高い。そこで、本実施形態では、運転機能仕様の重要度に応じて、その運転機能仕様を説明する仕様説明情報を繰り返し表示する時間間隔（以下、表示インターバルという）を設定する。
【００１３】
以下では、エレベータが運転機能仕様Ａ、運転機能仕様Ｂ、運転機能仕様Ｃの３つの運転機能仕様に対応しており、運転機能仕様Ａは運転機能仕様Ｂよりも重要度が高く、運転機能仕様Ｂは運転機能仕様Ｃよりも重要度が高いものとして、より詳細な実施形態を説明する。
【００１４】
＜第１の実施形態＞
図１は、本実施形態の表示システムの構成例を示す機能ブロック図である。この表示システムは、図１に示すように、制御プログラム記憶部１と、仕様説明情報記憶部２と、運転制御部３と、表示制御部４と、表示器５とを備える。制御プログラム記憶部１と仕様説明情報記憶部２は、例えば、エレベータの制御盤などに設けられた記憶装置を用いて実現することができる。これら制御プログラム記憶部１と仕様説明情報記憶部２は、１つの記憶装置により実現してもよいし、別個の記憶装置により実現してもよい。また、運転制御部３と表示制御部４は、例えば、エレベータの制御盤に設けられたマイクロコンピュータにより実現することができる。
【００１５】
制御プログラム記憶部１は、エレベータの運転を制御するための制御プログラムを記憶する。制御プログラム記憶部１が記憶する制御プログラムには、エレベータの基本的な機能を実現する基本制御プログラムのほか、運転機能仕様Ａに対応する制御プログラムと、運転機能仕様Ｂに対応する制御プログラムと、運転機能仕様Ｃに対応する制御プログラムとが含まれる。
【００１６】
仕様説明情報記憶部２は、エレベータが対応している運転機能仕様を説明する仕様説明情報を記憶する。仕様説明情報記憶部２が記憶する仕様説明情報には、運転機能仕様Ａを説明する仕様説明情報と、運転機能仕様Ｂを説明する仕様説明情報と、運転機能仕様Ｃを説明する仕様説明情報とが含まれる。
【００１７】
運転制御部３は、制御プログラム記憶部１が記憶する制御プログラムに従って、エレベータの運転を制御する。運転制御部３は、通常は基本制御プログラムに従ってエレベータの運転を制御するが、エレベータが対応している運転機能仕様Ａ〜Ｃのいずれかに対応する運転機能を開始させるトリガ（例えば、車椅子運転であれば車椅子専用ボタンの操作、地震時管制運転であれば地震検知信号の入力など）を検知すると、その運転機能仕様に対応する制御プログラムを制御プログラム記憶部１から読み出して実行し、エレベータの運転状態をその運転機能仕様に対応する運転状態にする。このとき、運転制御部３は、エレベータがその運転機能仕様に対応する運転状態となったことを表示制御部４に通知する。
【００１８】
表示制御部４は、仕様説明情報記憶部２が記憶する仕様説明情報を、その仕様説明情報に対応する運転機能仕様の重要度に応じて定められた表示インターバルで、エレベータの所定の表示器５に繰り返し表示させる。
【００１９】
表示制御部４は、例えば、仕様説明情報記憶部２が記憶する仕様説明情報と関連付けてその仕様説明情報に対応する運転機能仕様の重要度を格納する管理テーブル１１と、時間を計測するタイマ１２とを用いて、仕様説明情報の表示タイミングを制御する。すなわち、表示制御部４は、管理テーブル１１に基づいて、運転機能仕様の重要度が高いほどその運転機能仕様を説明する仕様説明情報の表示インターバルが短くなるように、仕様説明情報記憶部２が記憶する各仕様説明情報の表示インターバルを設定する。そして、表示制御部４は、仕様説明情報記憶部２が記憶するそれぞれの仕様説明情報について、表示器５に表示させてからの経過時間をタイマ１２により計測し、計測した経過時間がその仕様説明情報に対して設定された表示インターバルに対応する時間になると、その仕様説明情報を表示器５に再度表示させる処理を繰り返す。
【００２０】
図２は、管理テーブル１１の一例を示す図である。この図２に例示する管理テーブル１１は、エレベータが対応している各運転機能仕様の識別情報とその重要度を、各運転機能仕様の仕様説明情報の格納先アドレス（仕様説明情報記憶部２における記憶位置を示すアドレス）と関連付けて格納している。各運転機能仕様の重要度は、例えばエレベータの設置時に予め決定され、管理テーブル１１に格納される。表示制御部４は、この管理テーブル１１を参照することで、エレベータが対応している各運転機能仕様の重要度を認識して仕様説明情報の表示インターバルを設定することができる。また、表示制御部４は、この管理テーブル１１を参照して、表示器５に表示させる仕様説明情報を仕様説明情報記憶部２から読み出すことができる。
【００２１】
本実施形態では、エレベータが対応している運転機能仕様の重要度は、運転機能仕様Ａが最も高く（重要度：高）、運転機能仕様Ｂが２番目（重要度：中）、運転機能仕様Ｃが３番目（重要度：低）である。したがって、運転機能仕様Ａを説明する仕様説明情報の表示インターバルをＴａ、運転機能仕様Ｂを説明する仕様説明情報の表示インターバルをＴｂ、運転機能仕様Ｃを説明する仕様説明情報の表示インターバルをＴｃとすると、Ｔａ＜Ｔｂ＜Ｔｃに設定される。
【００２２】
図３は、仕様説明情報の表示タイミングの一例を示すタイミングチャートである。図中のＡが運転機能仕様Ａを説明する仕様説明情報の表示タイミング、図中のＢが運転機能仕様Ｂを説明する仕様説明情報の表示タイミング、図中のＣが運転機能仕様Ｃを説明する仕様説明情報の表示タイミングをそれぞれ示し、表示器５に仕様説明情報が表示されている時間をハッチングで表している。図３に示すように、重要度が「高」の運転機能仕様Ａを説明する仕様説明情報の表示インターバルＴａは、重要度が「中」の運転機能仕様Ｂを説明する仕様説明情報の表示インターバルＴｂよりも短く、重要度が「中」の運転機能仕様Ｂを説明する仕様説明情報の表示インターバルＴｂは、重要度が「低」の運転機能仕様Ｃを説明する仕様説明情報の表示インターバルＴｃよりも短い。つまり、運転機能仕様の重要度が高いほど、その運転機能仕様を説明する仕様説明情報が高い頻度で表示器５に表示される。
【００２３】
なお、各仕様説明情報が表示器５に表示されている時間（図３のハッチング部分）の長さはその仕様説明情報の情報量によって決まり、情報量が多いほど表示時間は長くなる。また、表示インターバルの設定によっては、ある仕様説明情報を表示させるタイミングで、他の仕様説明情報が表示器５に表示されている場合もある。このような場合は、先に表示されている仕様説明情報の表示が終了した後に、次の仕様説明情報を表示させればよい。
【００２４】
表示制御部４は、エレベータが基本制御プログラムに従った通常の運転状態である間は、上述のように、運転機能仕様Ａ〜Ｃの仕様説明情報を、それぞれの運転機能仕様の重要度に応じて設定した表示インターバルＴａ〜Ｔｃで繰り返し表示器５に表示させる。一方、エレベータが運転機能仕様Ａ〜Ｃのいずれかに対応する運転状態となったことが運転制御部３から通知されると、表示制御部４は、表示インターバルＴａ〜Ｔｃに関わらず、その運転機能仕様を説明する仕様説明情報を表示器５に表示させる。例えば、運転制御部３が運転機能仕様Ａに対応する制御プログラムを実行し、エレベータが運転機能仕様Ａに基づく運転状態となったことが運転制御部３から通知されると、表示制御部４は、タイマ１２による時間の計測を停止して、運転機能仕様Ａを説明する仕様説明情報を表示器５に表示させる。
【００２５】
このときに表示器５に表示させる仕様説明情報は、通常の運転状態のときに表示させる仕様説明情報と同一であってもよいし、例えば現在の運転状態が運転機能仕様に基づくものであることを示すメッセージを付加するなど、一部が異なっていてもよい。また、このときの仕様説明情報の表示は、エレベータの運転状態が通常の運転状態に復帰するまでの間、継続して行うことが望ましい。そして、エレベータの運転状態が通常の運転状態に復帰すると、表示制御部４は、タイマ１２による時間の計測を再開し、運転機能仕様Ａ〜Ｃそれぞれの仕様説明情報を表示インターバルＴａ〜Ｔｃで繰り返し表示器５に表示させる制御に戻る。
【００２６】
図４は、表示制御部４による仕様説明情報の表示制御の概要を説明するフローチャートであり、表示制御部４により繰り返し実行される処理手順の一例を示している。表示制御部４は、この図４のフローチャートで示す手順に従って、仕様説明情報記憶部２が記憶する仕様説明情報のうち、表示器５に表示させる仕様説明情報を判断することができる。
【００２７】
表示制御部４は、まず、エレベータの現在の運転状態が、運転機能仕様Ａ〜Ｃのいずれかに対応する運転状態となっているか否かを判定する（ステップＳ１０１）。そして、運転機能仕様Ａ〜Ｃのいずれかに対応する運転状態となっている場合は（ステップＳ１０１：Ｙｅｓ）、その運転状態に対応する運転機能仕様の仕様説明情報を仕様説明情報記憶部２から読み出して、表示器５に表示させる（ステップＳ１０２）。
【００２８】
一方、エレベータの運転状態が通常の運転状態であれば（ステップＳ１０１：Ｎｏ）、表示制御部４は、運転機能仕様Ａの仕様説明情報を表示するタイミングとなったか否か（つまり、上述の表示インターバルＴａが経過したか否か）を判定する（ステップＳ１０３）。そして、運転機能仕様Ａの仕様説明情報を表示するタイミングとなった場合は（ステップＳ１０３：Ｙｅｓ）、運転機能仕様Ａの仕様説明情報を仕様説明情報記憶部２から読み出して、表示器５に表示させる（ステップＳ１０４）。
【００２９】
一方、運転機能仕様Ａの仕様説明情報を表示するタイミングでなければ（ステップＳ１０３：Ｎｏ）、表示制御部４は、運転機能仕様Ｂの仕様説明情報を表示するタイミングとなったか否か（つまり、上述の表示インターバルＴｂが経過したか否か）を判定する（ステップＳ１０５）。そして、運転機能仕様Ｂの仕様説明情報を表示するタイミングとなった場合は（ステップＳ１０５：Ｙｅｓ）、運転機能仕様Ｂの仕様説明情報を仕様説明情報記憶部２から読み出して、表示器５に表示させる（ステップＳ１０６）。
【００３０】
一方、運転機能仕様Ｂの仕様説明情報を表示するタイミングでなければ（ステップＳ１０５：Ｎｏ）、表示制御部４は、運転機能仕様Ｃの仕様説明情報を表示するタイミングとなったか否か（つまり、上述の表示インターバルＴｃが経過したか否か）を判定する（ステップＳ１０７）。そして、運転機能仕様Ｃの仕様説明情報を表示するタイミングとなった場合は（ステップＳ１０７：Ｙｅｓ）、運転機能仕様Ｃの仕様説明情報を仕様説明情報記憶部２から読み出して、表示器５に表示させる（ステップＳ１０８）。また、運転機能仕様Ｃの仕様説明情報を表示するタイミングでなければ（ステップＳ１０７：Ｎｏ）、そのまま処理を終了する。
【００３１】
表示器５は、上述した表示制御部４の制御に従って仕様説明情報を表示する。本実施形態では、この表示器５として、エレベータのかご内に設けられたかご内表示器を用いるものとする。かご内表示器は、仕様説明情報を表示するための専用の表示器でもよいが、かご操作盤に設けられている液晶インジケータを利用して仕様説明情報を表示する構成とすることで、コスト低減を図ることができる。
【００３２】
図５は、エレベータのかご操作盤２０の一例を示す図である。この図５に示すかご操作盤２０には、かご内の利用者が操作する各種操作ボタン２１のほかに、かご内の利用者に対してかごの現在位置（階床）やかごの移動方向などを知らせるための液晶インジケータ２２が設けられている。上述した表示制御部４の制御に従って仕様説明情報を表示する表示器５（かご内表示器）として、このかご操作盤２０に設けられた液晶インジケータ２２を利用することができる。図５では、液晶インジケータ２２を利用して、車椅子運転の運転機能仕様を説明する仕様説明情報を表示した例を示している。なお、車椅子専用ボタンを有する操作盤は、図５に示すかご操作盤２０とは別に、かご内に設けられている。
【００３３】
以上、具体的な例を挙げながら詳細に説明したように、本実施形態のエレベータの表示システムによれば、エレベータが対応している運転機能仕様を説明する仕様説明情報が、その運転機能仕様の重要度に応じて設定された表示インターバルで表示器５に繰り返し表示される。したがって、エレベータの利用者は、そのエレベータがどのような運転機能仕様に対応したものであるか、その運転機能仕様によってエレベータがどのような動作をするかを的確に認識することができる。特に、運転機能仕様の重要度が高いほど仕様説明情報の表示インターバルが短く設定され、重要度が高い運転機能仕様の仕様説明情報が高い頻度で表示されるので、エレベータの利用者は、重要度が高い運転機能仕様に関する情報をより的確に認識することができる。
【００３４】
また、本実施形態のエレベータの表示システムによれば、エレベータの運転状態が、エレベータが対応しているいずれかの運転機能仕様に基づく運転状態となった場合は、その運転機能仕様の仕様説明情報が強制的に（つまり、表示インターバルによらずに）表示器５に表示される。したがって、エレベータの利用者は、エレベータの現在の運転状態が特定の運転機能仕様に基づくものであることや、その運転機能仕様によるエレベータの動作を的確に認識することができる。
【００３５】
なお、以上の説明では、仕様説明情報を表示する表示器５としてエレベータのかご内に設けられたかご内表示器を用いるものとしたが、かご内表示器に代えて、あるいはかご内表示器と併せて、エレベータの乗場に設けられた乗場表示器を、仕様説明情報を表示する表示器５として用いるようにしてもよい。乗場表示器は、仕様説明情報を表示するための専用の表示器でもよいが、上述のかご操作盤２０に設けられている液晶インジケータ２２と同様に、乗場操作盤に設けられている液晶インジケータを利用して仕様説明情報を表示する構成とすることで、コスト低減を図ることができる。
【００３６】
図６は、エレベータの乗場操作盤３０の一例を示す図である。この図６に示す乗場操作盤３０には、乗場の利用者が操作する各種操作ボタン３１のほかに、かご内の利用者に対してかごの現在位置（階床）やかごの移動方向などを知らせるための液晶インジケータ３２が設けられている。上述した表示制御部４の制御に従って仕様説明情報を表示する表示器５（乗場表示器）として、この乗場操作盤３０に設けられた液晶インジケータ３２を利用することができる。図６では、液晶インジケータ３２を利用して、車椅子運転の運転機能仕様を説明する仕様説明情報を表示した例を示している。
【００３７】
また、例えばショッピングセンターに設置されるエレベータなどにおいては、乗場操作盤３０とは別に乗場に液晶パネルを設置して、この液晶パネルでテナント案内などを行うことが多い。上述した表示制御部４の制御に従って仕様説明情報を表示する表示器５（乗場表示器）としては、このような乗場に設置された液晶パネルなどを利用することもできる。このような液晶パネルは、一般に乗場操作盤３０の液晶インジケータ３２と比較して表示面積が大きく、一度に表示可能な情報量が多いため、仕様説明情報の表示を効率よく行うことができる。
【００３８】
なお、仕様説明情報を表示する表示器５としてかご内表示器と乗場表示器とを併用する場合は、これらかご内表示器による仕様説明情報の表示と、乗場表示器による仕様説明情報の表示とを連動させてもよいし、個別に制御してもよい。
【００３９】
エレベータの利用者は、乗場での待ち時間が長いと不満を感じる場合が多いが、乗場表示器を利用して仕様説明情報を表示する構成とすることで、そのエレベータがどのような運転機能仕様に対応したものであるか、その運転機能仕様によってエレベータがどのような動作をするかを利用者に的確に認識させることができることに加え、利用者に乗場での待ち時間を長いと感じさせない効果がある。
【００４０】
＜第２の実施形態＞
本実施形態は、仕様説明情報を表示する表示器５として、エレベータのかご内の別々の位置に設けられた２つのかご内表示器（第１のかご内表示器と第２のかご内表示器）を用いる例である。本実施形態では、仕様説明情報がテキストデータであり、２つのかご内表示器は、テキストデータからなる同一の仕様説明情報をそれぞれスクロール表示するものとする。そして、表示制御部４は、２つのかご内表示器のうちの一方（第２のかご内表示器）による仕様説明情報の表示開始のタイミングを、他方（第１のかご内表示器）による仕様説明情報の表示開始のタイミングから遅延させることで、２つのかご内表示器における仕様説明情報のスクロール表示に時間的なずれを生じさせる。
【００４１】
２つのかご内表示器としては、第１の実施形態と同様に、かご操作盤２０に設けられている液晶インジケータ２２を利用することができる。図７は、本実施形態で想定するエレベータのかご内の様子を示す図である。図７に示す例では、かご内のドア４０の左右にそれぞれかご操作盤２０Ａ，２０Ｂが設けられている。なお、エレベータが車椅子運転の運転機能仕様に対応している場合、これらのかご操作盤２０Ａ，２０Ｂとは別に、車椅子専用ボタンを有する操作盤４５がかご内の側板などに設けられる。
【００４２】
本実施形態では、ドア４０の左右に設けられた２つのかご操作盤２０Ａ，２０Ｂの液晶インジケータ２２Ａ，２２Ｂを、上述した表示制御部４の制御に従って仕様説明情報をスクロール表示する２つのかご内表示器として用いることができる。図８は、本実施形態における仕様説明情報の表示例を示す図であり、（ａ）が液晶インジケータ２２Ａ（第１のかご内表示器）にスクロール表示されている仕様説明情報の例を示し、（ｂ）が（ａ）と同時刻に液晶インジケータ２２Ｂ（第２のかご内表示器）にスクロール表示されている仕様説明情報の例を示している。
【００４３】
本実施形態では、液晶インジケータ２２Ｂによる仕様説明情報の表示開始のタイミングが、液晶インジケータ２２Ａによる仕様説明情報の表示開始のタイミングから遅延するため、液晶インジケータ２２Ｂが仕様説明情報のスクロール表示を開始するときに、液晶インジケータ２２Ａによる仕様説明情報のスクロール表示は先に進んでいる。図８の例では、液晶インジケータ２２Ａと液晶インジケータ２２Ｂがそれぞれ車椅子運転の運転機能仕様を説明する仕様説明情報をスクロール表示しているが、液晶インジケータ２２Ａによるスクロール表示は、テキストの３行分だけ、液晶インジケータ２２Ｂによるスクロール表示よりも先行している。
【００４４】
以上のように、本実施形態では、同一の仕様説明情報を２つのかご内表示器にスクロール表示させる際に、２つのかご内表示器におけるスクロール表示に時間的なずれを生じさせるようにしている。したがって、かご内の利用者は、例えば一方のかご内表示器で見逃した情報を他方のかご内表示器の表示を参照することで確認するなど、２つのかご内表示器の表示から、仕様説明情報をより的確に把握することができる。
【００４５】
＜第３の実施形態＞
本実施形態は、第１の実施形態で説明した管理テーブル１１が格納する運転機能仕様の重要度を、エレベータの外部からの操作に応じて変更できるようにしたものである。本実施形態の表示システムの機能的な構成例を図９に示す。本実施形態の表示システムでは、図１に示した第１の実施形態の構成に対し、変更操作受付部６が追加されている。その他の構成は第１の実施形態と同じであるため、重複した説明は省略する。
【００４６】
変更操作受付部６は、例えば、エレベータを監視する遠隔監視センタの監視端末などと通信し、遠隔監視センタの監視員などが監視端末を用いて運転機能仕様の重要度を変更する変更操作を行うと、監視端末から操作情報を受信して監視員による変更操作を受け付ける。また、変更操作受付部６は、例えば、エレベータのメンテナンス作業員が、エレベータの制御盤に接続したメンテナンス用の専用端末を用いて運転機能仕様の重要度を変更する変更操作を行った場合に、専用端末から操作情報を入力してメンテナンス作業員による変更操作を受け付けるようにしてもよい。変更操作受付部６は、このようなエレベータの外部からの変更操作を受け付けると、表示制御部４に対して、重要度を変更する対象となる運転機能仕様を指定して、重要度の変更を指示する。
【００４７】
変更操作受付部６からの指示を受けた表示制御部４は、その指示に応じて管理テーブル１１に格納されている運転機能仕様の重要度を変更する。そして、表示制御部４は、変更後の重要度に応じてその運転機能仕様を説明する仕様説明情報の表示インターバルを再設定し、仕様説明情報を表示器５に表示させるタイミングを制御する。
【００４８】
以上のように、本実施形態では、管理テーブル１１が格納する運転機能仕様の重要度をエレベータの外部からの操作に応じて変更できるので、エレベータの設置環境における様々な状況変化に柔軟に対応することができる。具体的な例を挙げると、例えば、エレベータの設置時にはそのエレベータの設置場所の地盤が安定していたために、地震時管制運転の運転機能仕様の重要度を低めに設定していたが、その後、エレベータの設置場所で地震が頻発するようになったとする。このような場合、地震時管制運転の運転機能仕様の重要度が高くなるように変更すれば、地震時管制運転の運転機能仕様を説明する仕様説明情報の表示インターバルを短くする、つまり、この仕様説明情報を表示器５に高い頻度で表示させることができる。その結果、エレベータの利用者に対し、エレベータが地震時管制運転に対応していることや地震時管制運転でのエレベータの動作をより的確に認識させることができる。
【００４９】
以上述べた少なくとも一つの実施形態によれば、エレベータがどのような運転機能仕様に対応したものであるか、その運転機能仕様によってエレベータがどのような動作をするかを利用者に的確に認識させることができる。
【００５０】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１  制御プログラム記憶部、２  仕様説明情報記憶部（記憶部）、３  運転制御部、４  表示制御部、５  表示器、６  変更操作受付部、１１  管理テーブル、１２  タイマ、２０（２０Ａ，２０Ｂ）  かご操作盤、２２（２２Ａ，２２Ｂ）  液晶インジケータ、３０  乗場操作盤、３２  液晶インジケータ
【図１】
2017218263.tif 000003
【図２】
2017218263.tif 000004
【図３】
2017218263.tif 000005
【図４】
2017218263.tif 000006
【図５】
2017218263.tif 000007
【図６】
2017218263.tif 000008
【図７】
2017218263.tif 000009
【図８】
2017218263.tif 000010
【図９】
2017218263.tif 000011
【手続補正書】
【提出日】平成29年3月30日(2017.3.30)
【手続補正１】
【補正対象書類名】特許請求の範囲
【補正対象項目名】請求項１
【補正方法】変更
【補正の内容】
【請求項１】
エレベータが対応している運転機能仕様を説明する仕様説明情報を記憶する記憶部と、前記運転機能仕様に対応する運転機能を開始させるトリガを検知するまでの間は基本制御プログラムに従ってエレベータの運転を制御し、前記トリガが検知すると、前記運転機能仕様に対応する制御プログラムを実行してエレベータを前記運転機能仕様に対応する運転状態とする運転制御部と、前記エレベータが前記基本制御プログラムに従った運転状態のときに、前記エレベータの所定の表示器に、前記記憶部が記憶する前記仕様説明情報を前記運転機能仕様の重要度に応じて定められた時間間隔で繰り返し表示させる表示制御部と、を備えることを特徴とするエレベータの表示システム。
【手続補正２】
【補正対象書類名】特許請求の範囲
【補正対象項目名】請求項７
【補正方法】変更
【補正の内容】
【請求項７】
エレベータが対応している運転機能仕様を説明する仕様説明情報を記憶部に記憶し、前記運転機能仕様に対応する運転機能を開始させるトリガを検知するまでの間は基本制御プログラムに従ってエレベータの運転を制御し、前記エレベータが前記基本制御プログラムに従った運転状態のときに、前記エレベータの所定の表示器に、前記記憶部が記憶する前記仕様説明情報を前記運転機能仕様の重要度に応じて定められた時間間隔で繰り返し表示させ、前記トリガが検知すると、前記運転機能仕様に対応する制御プログラムを実行してエレベータを前記運転機能仕様に対応する運転状態とすることを特徴とする仕様説明表示方法。
【手続補正３】
【補正対象書類名】明細書
【補正対象項目名】０００８
【補正方法】変更
【補正の内容】
【０００８】
実施形態のエレベータの表示システムは、記憶部と、運転制御部と、表示制御部と、を備える。記憶部は、エレベータが対応している運転機能仕様を説明する仕様説明情報を記憶する。運転制御部は、前記運転機能仕様に対応する運転機能を開始させるトリガを検知するまでの間は基本制御プログラムに従ってエレベータの運転を制御し、前記トリガが検知すると、前記運転機能仕様に対応する制御プログラムを実行してエレベータを前記運転機能仕様に対応する運転状態とする。表示制御部は、前記エレベータが前記基本制御プログラムに従った運転状態のときに、前記エレベータの所定の表示器に、前記記憶部が記憶する前記仕様説明情報を前記運転機能仕様の重要度に応じて定められた時間間隔で繰り返し表示させる。